(57)【要約】      （修正有）【課題】加熱・冷却機能を備えたフェイシアガンを提供する。【解決手段】加熱・冷却機能を備えたフェイシアガンは、フェイシアガン本体、グリップ２、マッサージヘッド、往復駆動機構４、電力供給コンポーネント５、および冷却・加熱コンポーネントを含み、マッサージヘッドはフェイシアガン本体の前端に位置し、往復駆動機構の出力端はマッサージヘッドに接続され、電力供給コンポーネントはグリップに設けられ、往復駆動機構および冷却・加熱コンポーネントに電気的に接続され、冷却・加熱コンポーネントはマッサージヘッド内に設けられる。マッサージ理学療法に加え、豊富な機能と幅広い適用範囲で、冷温圧迫理学療法を実行できる冷却・加熱コンポーネントを介してマッサージヘッドの冷温機能も実現し、機能切り替え、電力供給および機能変更を実現するとともに、マッサージヘッドの着脱も便利で、使い勝手も柔軟である。【選択図】図３
0003233101.tif 000002
【実用新案登録請求の範囲】
【請求項１】
フェイシアガン本体、グリップ、マッサージヘッド、往復駆動機構、電力供給コンポーネントおよび冷却・加熱コンポーネントを含み、
前記マッサージヘッドは前記フェイシアガン本体の前端に位置し、
前記往復駆動機構の出力端は前記マッサージヘッドに接続され、
前記電力供給コンポーネントは前記グリップ内に設けられ、前記往復駆動機構および前記冷却・加熱コンポーネントに電気的に接続され、
前記冷却・加熱コンポーネントは前記マッサージヘッド内に設けられる、ことを特徴とする加熱・冷却機能を備えたフェイシアガン。
【請求項２】
前記マッサージヘッドは、マッサージヘッドカバー、コネクタヘッド、航空プラグおよび衝突防止部品を含み、前記往復駆動機構は、前記フェイシアガン本体の前端の航空ソケットを含み、前記航空ソケットは前記電力供給コンポーネントに電気的に接続され、前記コネクタヘッドは前記マッサージヘッドカバー上に着脱可能に設けられ、両者の間に前記冷却・加熱コンポーネントを収容するための第１の収容チャンバが形成され、前記航空プラグは前記マッサージヘッドカバー上に固定され、前記冷却・加熱コンポーネントに電気的に接続され、前記航空プラグと前記航空ソケットによって、前記マッサージヘッドと前記往復駆動機構の着脱可能な接続、および前記冷却・加熱コンポーネントと前記電力供給コンポーネントの電気的接続を実現する、ことを特徴とする請求項１に記載の加熱・冷却機能を備えたフェイシアガン。
【請求項３】
前記コネクタヘッドは金属材料で形成される、ことを特徴とする請求項２に記載の加熱・冷却機能を備えたフェイシアガン。
【請求項４】
前記マッサージヘッドカバーはフレア状であり、拡張部および基部を含み、前記基部外側に衝突防止部品が嵌設され、前記マッサージヘッドと前記往復駆動機構が接続されると、前記基部が前記フェイシアガン本体内に貫通し、前記衝突防止部品を介して前記フェイシアガン本体の内壁に接触し接続され得る、ことを特徴とする請求項２に記載の加熱・冷却機能を備えたフェイシアガン。
【請求項５】
前記冷却・加熱コンポーネントは、マッサージヘッド回路基板、放熱アルミニウム片、冷却・加熱片、放熱ファン、第１の放熱穴および温度感知部品を含み、前記温度感知部品は前記コネクタヘッドの裏側に固定され、前記マッサージヘッド回路基板に電気的に接続され、前記放熱アルミニウム片はＵ字形の構造であり、頂部にスロットが設けられ、底部に空洞があり、前記冷却・加熱片は前記スロット内に係合され、前記放熱ファンは前記放熱アルミニウム片の内部の空洞内に配置され、前記マッサージヘッド回路基板は前記マッサージヘッドカバー内に取り付けられ、前記放熱ファンは前記マッサージヘッドカバー内に固定され前記マッサージヘッド回路基板の上方に位置し、前記マッサージヘッドカバーの前記放熱ファンに対応する位置に、前記第１の放熱穴が設けられる、ことを特徴とする請求項２に記載の加熱・冷却機能を備えたフェイシアガン。
【請求項６】
前記マッサージヘッド回路基板上に発光ランプが設けられ、前記マッサージヘッドカバー内にカバー形状の光透過部品がさらに設けられ、前記光透過部品は、上端縁、延長部および突出部を含み、前記延長部内に窪みが設けられ、前記放熱ファンは前記窪み内に係合され、前記上端縁は前記マッサージヘッドカバーの上端縁上に押圧され、前記延長部は前記マッサージヘッド回路基板上に押圧され、前記延長部の底部における前記発光ランプに対応する位置に貫通口が設けられ、前記突出部は中空円筒構造であり、前記突出部の側壁上にドア状開口が開設され、前記航空プラグの接続端子は前記突出部内に位置し、前記マッサージヘッド回路基板は前記ドア状開口を貫通したケーブルを介して前記航空プラグに電気的に接続され、前記光透過部品は透明材料で形成され、前記発光ランプに対応する位置に貫通穴が設けられ、前記マッサージヘッドカバーの前記貫通穴に対応する位置に光透過穴が設けられ、前記延長部上の前記第１の放熱穴に対応する位置に第２の放熱穴が設けられる、ことを特徴とする請求項５に記載の加熱・冷却機能を備えたフェイシアガン。
【請求項７】
前記往復駆動機構は、モータ、クランク、接続ロッド、主回路基板、ピストン部品、ガイド溝、コネクタシートおよびガイド溝シリコーン部品を含み、前記フェイシアガン本体は、メインシェルおよび前記メインシェル上部に垂直に接続された可動チャンバを含み、前記グリップは前記メインシェル底部に平行に接続され、前記モータは前記メインシェル内に設けられ、前記モータの出力軸は前記クランクに接続され、前記接続ロッドの一端は前記クランクに同軸接続され、他端は前記可動チャンバ内に位置する前記ピストン部品に接続され、前記主回路基板は回路基板支持部品をかいして前記メインシェル内に固定され、前記ガイド溝は前記ガイド溝シリコーン部品を介して前記可動チャンバ内壁に接触し接続され、前記ピストン部品は前記ガイド溝内に摺動可能に設けられ、前記可動チャンバの端部にシールカバーが設けられ、前記航空ソケットは前記シールカバーを貫通して前記コネクタシート上にねじ込まれ、前記コネクタシートは前記ピストン部品に接続され、前記航空ソケットはケーブルを介して前記主回路基板に電気的に接続される、ことを特徴とする請求項２に記載の加熱・冷却機能を備えたフェイシアガン。
【請求項８】
前記メインシェルと前記グリップの間に装飾ストリップがさらに設けられる、ことを特徴とする請求項７に記載の加熱・冷却機能を備えたフェイシアガン。
【請求項９】
前記メインシェルは円筒構造であり、前記可動チャンバは楕円形構造である、ことを特徴とする請求項７に記載の加熱・冷却機能を備えたフェイシアガン。
【請求項１０】
前記メインシェル上の対向する両側、前記グリップ上の対向する両側に、それぞれ位置決め溝が設けられ、前記位置決め溝内に係合穴が設けられ、前記装飾ストリップ上に係合フックが設けられ、前記装飾ストリップは前記位置決め溝内に係合されると前記係合フックを介して前記係合穴内に係合されて両者の接続を実現する、ことを特徴とする請求項８に記載の加熱・冷却機能を備えたフェイシアガン。
【考案の詳細な説明】
【技術分野】
【０００１】
本考案は、マッサージ機器の技術分野に関し、特に加熱・冷却機能を備えたフェイシアガンに関する。
【背景技術】
【０００２】
フェイシアガンは、ピストルのような構造を有するマッサージ器具の一種であり、水平シェルおよび垂直のハンドルを含み、シェルの前端にマッサージヘッドが設けられている。マッサージヘッドは往復振動でき、マッサージヘッドを筋肉に押し付けて筋肉を振動させ、筋肉をリラックスさせ、血液循環を促進する効果を実現する。
【０００３】
本出願者は、従来技術には少なくとも以下の技術的問題があることを発見した。
【０００４】
従来のフェイシアガンは、モータを使用して偏心ディスクを駆動し、接続ロッドを回転させてマッサージヘッドを往復振動させ、筋肉に継続的な衝撃を与え、筋肉のマッサージおよびリラックスを実現しているが、他の機能がなく、機能が単純であり、異なる要因による筋肉痛を治療する場合、理学療法マッサージの効果には一定の制限がある。
【考案の概要】
【０００５】
本考案の目的は、従来技術におけるフェイシアガンの単純な機能の技術的問題を解決するために、加熱・冷却機能を備えたフェイシアガンを提供することである。
【０００６】
上記の目的を達成するために、本考案は以下の技術的解決策を提供する。
【０００７】
本考案によって提供される加熱・冷却機能を備えたフェイシアガンは、フェイシアガン本体、グリップ、マッサージヘッド、往復駆動機構、電力供給コンポーネントおよび冷却・加熱コンポーネントを含む。ここで、
前記マッサージヘッドは前記フェイシアガン本体の前端に位置し、
前記往復駆動機構の出力端は前記マッサージヘッドに接続され、
前記電力供給コンポーネントは前記グリップ内に設けられ、前記往復駆動機構および前記冷却・加熱コンポーネントに電気的に接続され、
前記冷却・加熱コンポーネントは前記マッサージヘッド内に設けられる。
【０００８】
上記技術的解決策に基づき、本考案は以下のようにさらに改善され得る。
【０００９】
本考案の更なる改善として、前記マッサージヘッドは、マッサージヘッドカバー、コネクタヘッド、航空プラグおよび衝突防止部品を含み、前記往復駆動機構は、前記フェイシアガン本体の前端に設けられた航空ソケットを含み、前記航空ソケットは前記電力供給コンポーネントに電気的に接続され、前記コネクタヘッドは前記マッサージヘッドカバー上に着脱可能に設けられ、両者の間に前記冷却・加熱コンポーネントを収容するための第１の収容チャンバが形成され、前記航空プラグは前記マッサージヘッドカバー上に固定され、前記冷却・加熱コンポーネントに電気的に接続され、前記航空プラグと航空ソケットによって前記マッサージヘッドと前記往復駆動機構の着脱可能な接続、および前記冷却・加熱コンポーネントと前記電力供給コンポーネントの電気的接続を実現する。
【００１０】
本考案の更なる改善として、前記コネクタヘッドは金属材料で形成される。
【００１１】
本考案の更なる改善として、前記マッサージヘッドカバーはフレア状であり、拡張部および基部を含み、前記基部外側に衝突防止部品が嵌設され、前記マッサージヘッドと前記往復駆動機構が接続されると、前記基部が前記フェイシアガン本体内に貫通し、前記衝突防止部品を介して前記フェイシアガン本体内壁に接触し接続され得る。
【００１２】
本考案の更なる改善として、前記冷却・加熱コンポーネントは、マッサージヘッド回路基板、放熱アルミニウム片、冷却・加熱片、放熱ファン、第１の放熱穴および温度感知部品を含み、前記温度感知部品は前記コネクタヘッド裏側に固定され、前記マッサージヘッド回路基板に電気的に接続され、前記放熱アルミニウム片はＵ字形の構造であり、頂部にスロットが設けられ、底部に空洞があり、前記冷却・加熱片は前記スロット内に係合され、前記放熱ファンは前記放熱アルミニウム片内部の空洞内に配置され、前記マッサージヘッド回路基板は前記マッサージヘッドカバー内に取り付けられ、前記放熱ファンは前記マッサージヘッドカバー内に固定され前記マッサージヘッド回路基板の上方に位置し、前記マッサージヘッドカバー上の前記放熱ファンに対応する位置に前記第１の放熱穴が設けられる。
【００１３】
本考案の更なる改善として、前記マッサージヘッド回路基板上に発光ランプが設けられ、前記マッサージヘッドカバー内にカバー形状の光透過部品が設けられ、前記光透過部品は、上端縁、延長部および突出部を含み、前記延長部内に窪みが設けられ、前記放熱ファンは前記窪み内に係合され、前記上端縁は前記マッサージヘッドカバー上端縁上に押圧され、前記延長部は前記マッサージヘッド回路基板上に押圧され、前記延長部の底部における前記発光ランプに対応する位置に貫通口が設けられ、前記突出部は中空円筒構造であり、前記突出部の側壁にドア状開口が開設され、前記航空プラグの接続端子は前記突出部内に位置し、前記マッサージヘッド回路基板は前記ドア状開口を貫通したケーブルを介して前記航空プラグに電気的に接続され、前記光透過部品は透明材料で形成され、前記発光ランプに対応する位置に貫通穴が設けられ、前記マッサージヘッドカバーの前記貫通穴に対応する位置に光透過穴が設けられ、前記延長部上の前記第１の放熱穴に対応する位置に第２の放熱穴が設けられる。
【００１４】
本考案の更なる改善として、前記往復駆動機構は、モータ、クランク、接続ロッド、主回路基板、ピストン部品、ガイド溝、コネクタシートおよびガイド溝シリコーン部品を含み、前記フェイシアガン本体はメインシェルおよび前記メインシェル上部に垂直に接続された可動チャンバを含み、前記グリップは前記メインシェル底部に平行に接続され、前記モータは前記メインシェル内に設けられ、前記モータの出力軸は前記クランクに接続され、前記接続ロッドの一端は前記クランクに同軸接続され、他端は前記可動チャンバ内に位置する前記ピストン部品に接続され、前記主回路基板は回路基板支持部品を介して前記メインシェル内に固定され、前記ガイド溝は前記ガイド溝シリコーン部品を介して前記可動チャンバの内壁に接触し接続され、前記ピストン部品は前記ガイド溝内に摺動可能に設けられ、前記可動チャンバの端部にシールカバーが設けられ、前記航空ソケットは前記シールカバーを貫通した後前記コネクタシートにねじ込まれ、前記コネクタシートは前記ピストン部品に接続され、前記航空ソケットはケーブルを介して前記主回路基板に電気的に接続される。
【００１５】
本考案の更なる改善として、前記メインシェルと前記グリップの間に装飾ストリップがさらに設けられる。
【００１６】
本考案の更なる改善として、前記メインシェルは円筒構造であり、前記可動チャンバは楕円形構造である。
【００１７】
本考案の更なる改善として、前記メインシェル上の対向する両側、前記グリップ上の対向する両側にそれぞれ位置決め溝が設けられ、前記位置決め溝内に係合穴が設けられ、前記装飾ストリップ上に係合フックが設けられ、前記装飾ストリップを前記位置決め溝内に係合するには、前記係合フックが前記係合穴内に係合されることで両者の接続を実現する。
【００１８】
本考案の更なる改善として、前記メインシェル頂部にカバー板が設けられ、前記カバー板上にシリコーンボタンが設けられ、前記カバー板上にＵＳＢ充電口が設けられ、前記ＵＳＢ充電口は前記電力供給コンポーネントケーブルに接続される。
【００１９】
本考案は、従来技術と比較すると以下の有益な効果を有する。
【００２０】
本考案によって提供されるフェイシアガンは、マッサージ理学療法に加え、豊富な機能と幅広い適用範囲で、冷温圧迫理学療法を実行できる冷却・加熱コンポーネントを介してマッサージヘッドの冷温機能も実現し、冷と熱の切り替えを実現するために電子冷却片の正極と負極が変化し、ファンの排気によって冷却中に熱が放散され、つまり通常のマッサージヘッドによりパーカッションマッサージを実現し、同時に冷湿布または温湿布を使用して筋肉の冷温ニーズを満たし、本考案は、冷温装置全体によりマッサージヘッドの部分を駆動し、プラグイン端子（航空プラグおよび航空ソケット）を介して、本体とマッサージヘッドのドッキングを実現し、機能の切り替えを実現し、電力供給および機能変更を実現し、マッサージヘッドの着脱も容易になり、使い勝手も柔軟である。
【図面の簡単な説明】
【００２１】
本考案または先行技術の実施例における技術的解決策をより明確に説明するために、以下、実施例または先行技術の説明において使用される必要のある図面を簡単に説明するが、以下説明される図面は本考案のいくつかの実施例に過ぎず、当業者であれば、創造的な労働をすることなくこれらの図面に基づき他の図面を得ることができるのは明らかである。
【図１】本考案の加熱・冷却機能を備えたフェイシアガンの立体構造概略図である。
【図２】本考案の加熱・冷却機能を備えたフェイシアガンの正面図である。
【図３】本考案の加熱・冷却機能を備えたフェイシアガンの分解図の１である。
【図４】本考案の加熱・冷却機能を備えたフェイシアガンの分解図の２である。
【図５】本考案の加熱・冷却機能を備えたフェイシアガンの往復駆動機構の部分構造概略図である。
【図６】本考案の加熱・冷却機能を備えたフェイシアガンのグリップの立体構造概略図である。
【図７】本考案の加熱・冷却機能を備えたフェイシアガンのマッサージヘッドの分解図の１である。
【図８】本考案の加熱・冷却機能を備えたフェイシアガンのマッサージヘッドの分解図の２である。
【図９】本考案の加熱・冷却機能を備えたフェイシアガンのマッサージヘッドの分解図の３である。
【考案を実施するための形態】
【００２２】
考案の目的、技術的解決策および利点をより明確にするために、考案の技術的解決策を以下に詳細に説明する。明らかに、記載された実施例は、すべての実施例ではなく、本考案の実施例の一部にすぎない。本考案の実施例に基づいて、当業者によって創造的な労働をせずに得られた他の実施例はすべて、本考案の保護範囲内に含まれる。
【００２３】
図１、図２および図４に示すように、本考案は加熱・冷却機能を備えたフェイシアガンを提供し、フェイシアガン本体１、グリップ２、マッサージヘッド３、往復駆動機構４、電力供給コンポーネント５および冷却・加熱コンポーネント６を含む。
【００２４】
ここで、フェイシアガン本体１はＬ字形の構造であり、マッサージヘッド３はフェイシアガン本体１の前端に位置し、グリップ２はフェイシアガン本体１の下端に接続され、「ピストル」のようなフェイシアガンを形成する。
【００２５】
往復駆動機構４はフェイシアガン本体１内に位置し、その出力端はマッサージヘッド３に接続され、マッサージヘッド３を水平方向に往復移動させて連続的なパーカッション動作を形成する。
【００２６】
図６に示すように、電力供給コンポーネント５はグリップ２内に設けられ、往復駆動機構４および冷却・加熱コンポーネント６に電気的に接続される。なお、本考案において、電力供給コンポーネント５は充電式電池モジュールを含む。
【００２７】
冷却・加熱コンポーネント６はマッサージヘッド３内に設けられ、マッサージヘッド３は熱または冷気を吸収して加熱または冷却され、マッサージ理学療法により人間の体表に与えて熱療または冷療を行う。
【００２８】
図７〜図９に示すように、本考案の実施形態として、マッサージヘッド３はマッサージヘッドカバー３１、コネクタヘッド３２、航空プラグ３３および衝突防止部品３４を含み、往復駆動機構４はフェイシアガン本体１の前端に設けられた航空ソケット４１を含み、航空ソケット４１は電力供給コンポーネント５に電気的に接続され、コネクタヘッド３２はマッサージヘッドカバー３１上に着脱可能に設けられ、具体的には、スナップまたはプラグにより接続され、両者の間に冷却・加熱コンポーネント６を収容するための第１の収容チャンバが形成され、航空プラグ３３はマッサージヘッドカバー３１上に固定され、冷却・加熱コンポーネント６に電気的に接続され、航空プラグ３３と航空ソケット４１によって、マッサージヘッド３と往復駆動機構４の着脱可能な接続、および冷却・加熱コンポーネント６と電力供給コンポーネント５の電気的接続を実現する。使用する時、航空プラグ３３が航空ソケット４１内に挿入されると、マッサージヘッド３と往復駆動機構４が接続され、冷却・加熱コンポーネント６と電力供給コンポーネント５の電気的接続も実現し得る。
【００２９】
具体的には、コネクタヘッド３２は金属材料で形成される。
【００３０】
さらに、マッサージヘッドカバー３１はフレア状であり、拡張部３１１および基部３１２を含み、基部３１２外側に衝突防止部品３４が嵌設され、マッサージヘッド３と往復駆動機構４が接続されると、基部３１２はフェイシアガン本体１内に貫通し、衝突防止部品３４を介してフェイシアガン本体１内壁に接触し接続され得る。
【００３１】
ここで、衝突防止部品３４は筒形構造であり、シリコーン材料で形成される。
【００３２】
図３に示すように、本考案の選択可能な実施形態として、冷却・加熱コンポーネント６はマッサージヘッド回路基板６１、放熱アルミニウム片６２、冷却・加熱片６３、放熱ファン６４、第１の放熱穴３１３および温度感知部品を含み、温度感知部品はコネクタヘッド３２の裏側に固定され、マッサージヘッド回路基板６１に電気的に接続され、コネクタヘッド３２の温度を検出し、さまざまなニーズを満たすように主回路基板４５を介して冷却・加熱コンポーネントの温度を制御し、放熱アルミニウム片６２はＵ字形の構造であり、頂部にスロット６２１が設けられ、底部に空洞があり、放熱アルミニウム片６２の両側および空洞内にフィン形状の放熱構造があり、冷却・加熱片６３はスロット６２１内に係合され、放熱ファン６４は放熱アルミニウム片６２内部の空洞内に配置され、マッサージヘッド回路基板６１はマッサージヘッドカバー３１内に取り付けられ、放熱ファン６４はマッサージヘッドカバー３１内に固定されマッサージヘッド回路基板６１の上方に位置し、マッサージヘッドカバー３１上の放熱ファン６４に対応する位置に第１の放熱穴３１３が設けられ、以上の構造により、冷却・加熱片６３からの熱を放熱アルミニウム片６２、放熱ファン６４および第１の放熱穴３１３を介して迅速にフェイシアガン外部へ放出させる。
【００３３】
なお、本考案の選択可能な実施形態では、温度感知部品はＮＴＣサーミスタである。
【００３４】
マッサージヘッド回路基板６１上に発光ランプ６１１が設けられ、具体的には、発光ランプ６１１はＬＥＤランプビーズであり得、複数のランプビーズでもあり得、各ランプビーズは異なる色を有し、具体的には、本考案の実施例では、４つの発光ランプ６１１が設けられ、マッサージヘッド回路基板６１の全周に沿って均一に設けられ、またさらに、発光ランプ６１１はマッサージヘッド回路基板６１の外縁に配置され、マッサージヘッド回路基板６１は円形リング構造を有し、マッサージヘッドカバー３１内にカバー形状の光透過部品３５がさらに設けられ、光透過部品３５は片側が開放され、他側がシールされ、軽量化のため、シール側は中空構造であり、光透過部品３５はマッサージヘッドカバー３１内に配置され、具体的には、光透過部品３５は上端縁３５１、延長部３５２および突出部３５３を含み、延長部３５２内に窪みが設けられ、放熱ファン６４は窪み内に係合され、ここで、延長部３５２内の窪みは複数の突出柱で囲まれて形成され、上端縁３５１はマッサージヘッドカバー３１の上端縁に押圧され、コネクタヘッド３２とマッサージヘッドカバー３１が接続されると、光透過部品３５の上端縁３５１はコネクタヘッド３２およびマッサージヘッドカバー３１間に位置して、装飾リングを形成し、上端縁３５１にライトバンドが設けられてもよく、フェイシアガンの美的効果を高め、延長部３５２はマッサージヘッド回路基板６１に押圧され、延長部３５２の底部は中空のシール構造であり、延長部３５２の底部は平面であり、マッサージヘッド回路基板６１を押圧し、突出部３５３は延長部３５２の底部中心に位置し、延長部３５２の底部における発光ランプ６１１に対応する位置に貫通口３５２１が設けられ、該貫通口３５２１を介して、延長部３５２がマッサージヘッド回路基板６１に押圧されると、発光ランプ６１１は貫通口３５２１を貫通して延長部３５２内に位置し、突出部３５３は中空円筒構造であり、突出部３５３の側壁上にドア状開口３５３１が開設され、航空プラグ３３の接続端子は突出部３５３内に位置し、マッサージヘッド回路基板６１は、ドア状開口３５３１を貫通したケーブルを介して航空プラグ３３に電気的に接続され、光透過部品３５は透明材料で形成され、発光ランプ６１１に対応する位置に貫通穴３５４が設けられ、貫通穴３５４を介して発光ランプ６１１からの光を光透過部品３５に透過させ、マッサージヘッドカバー３１の貫通穴３５４に対応する位置に光透過穴３６が設けられ、貫通穴３５４および光透過穴３６を介して発光ランプ６１１の光がフェイシアガン本体１外側に取り出され、フェイシアガンの美観を改善するだけでなく、識別を容易にするために異なるモードで異なる色の光を放出するように制御でき、延長部３５２の第１の放熱穴３１３に対応する位置に第２の放熱穴６５が設けられる。なお、第２の放熱穴６５および第１の放熱穴３１３は、いずれも帯状の穴であり、複数の穴が平行に設けられる。
【００３５】
図３および図５に示すように、具体的には、往復駆動機構４はモータ４２、クランク４３、接続ロッド４４、主回路基板４５、ピストン部品４６、ガイド溝４７、コネクタシート４８およびガイド溝シリコーン部品４９を含み、フェイシアガン本体１はメインシェル１２およびメインシェル１２上部に垂直に接続された可動チャンバ１１を含み、グリップ２はメインシェル１２底部に平行に接続され、モータ４２はメインシェル１２内に設けられ、モータ４２の出力軸はクランク４３に接続され、接続ロッド４４の一端はクランク４３に同軸接続され、他端は可動チャンバ１１内に位置するピストン部品４６に接続され、ピストン部品４６を駆動して可動チャンバ１１の軸方向に沿って往復移動させ、主回路基板４５は回路基板支持部品４９１を介してメインシェル１２内に固定され、ガイド溝４７はガイド溝シリコーン部品４９を介して可動チャンバ１１の内壁に接触し接続され、ピストン部品４６はガイド溝４７内に摺動可能に設けられ、可動チャンバ１１の端部にシールカバー４９２が設けられ、航空ソケット４１はシールカバー４９２を貫通した後コネクタシート４８にねじ込まれ、コネクタシート４８はピストン部品４６に接続され、航空ソケット４１はケーブルを介して主回路基板４５に電気的に接続される。
さらに、メインシェル１２とグリップ２間に装飾ストリップ７がさらに設けられる。
さらに、メインシェル１２は円筒構造であり、可動チャンバ１１は楕円形構造である。
【００３６】
メインシェル１２上の対向する両側、グリップ２上の対向する両側にそれぞれ位置決め溝が設けられ、位置決め溝内に係合穴が設けられ、装飾ストリップ７上に係合フックが設けられ、装飾ストリップ７を位置決め溝内に係合するには、係合フックが係合穴内に係合されることで両者の接続を実現する。
【００３７】
メインシェル１２の頂部にカバー板８が設けられ、カバー板８上にシリコーンボタン８１が設けられ、カバー板８上にＵＳＢ充電口８２が設けられ、ＵＳＢ充電口８２は電力供給コンポーネント５にケーブルを介して接続される。
【００３８】
本考案によって提供されるフェイシアガンは、マッサージ理学療法に加え、豊富な機能と幅広い適用範囲で、冷温圧迫理学療法を実行できる冷却・加熱コンポーネントを介してマッサージヘッドの冷温機能も実現し、冷と熱の切り替えを実現するために電子冷却片の正極と負極が変化し、ファンの排気によって冷却中に熱が放散され、つまり通常のマッサージヘッドによりパーカッションマッサージを実現し、同時に冷湿布または温湿布を使用して筋肉の冷温ニーズを満たし、本考案は、冷温装置全体によりマッサージヘッドの部分を駆動し、プラグイン端子（航空プラグおよび航空ソケット）を介して、本体とマッサージヘッドのドッキングを実現し、機能の切り替えを実現し、電力供給および機能変更を実現し、マッサージヘッドの着脱も容易になり、使い勝手も柔軟である。
ここで、「裏へ」とは収容空間の中央に近接する方向を指し、「外へ」とは収容空間の中央から離間する方向を指す。
【００３９】
本考案の説明では、用語「中心」、「縦方向」、「横方向」、「長さ」、「幅」、「厚さ」、「上」、「下」、「前」、「後」、「左」、「右」、「垂直」、「水平」、「頂」、「底」「内」、「外」、「時計回り」、「反時計回り」、「軸方向」、「径方向」、「周方向」などによって示す方向または位置関係は、図１に示す方向または位置関係に基づいたものであるが、本考案の説明を簡略化するためのものであり、かかる装置またはデバイスは必ず特定の方向、特定の方向構造および操作を有することを指示または暗示するものではないため、本考案の制限として理解することはできない。
【００４０】
さらに、用語「第１の」、「第２の」とは目的を説明するためのものであり、相対的な重要性または示された技術的特徴の数を指示または暗示するものではない。したがって、「第１」、「第２」つきの特徴は少なくとも１つの該特徴を含むことを明示または暗示する。本考案の説明では、「複数」とは、特に明記しない限り、少なくとも２つ、例えば２つ、３つなどを意味する。
【００４１】
本考案では、特に明確に規定や限定しない限り、用語「取付」、「連結」、「接続」、「固定」などは広義に理解されるべきであり、例えば、特に限定しない限り、固定接続であってもよく、着脱可能な接続であってもよく、または一体であってもよく、機械的な接続であってもよく、電気的な接続であってもよく、直接連結であってもよく、中間媒体を介した間接連結であってもよく、２つのデバイスの内部の連通または２つのデバイスの相互作用関係であってもよい。当業者は具体的な状況に応じて本考案における上記用語の具体的な意味を理解することができる。
【００４２】
本考案では、特に明確に規定や限定しない限り、第１の特徴は第２の特徴の「上」または「下」にあるとは、第１と第２の特徴が直接接触し、または第１と第２の特徴は中間媒介を介して間接接触することを意味し得る。そして、第１の特徴は第２の特徴「の上」、「上方」および「上面」にあるとは、第１の特徴は第２の特徴の真上または斜め上にあるか、または単に第１の特徴のレベルが２番目の機能よりも高いことを意味し得る。第１の特徴は第２の特徴「の下」、「下方」および「下面」にあるとは、第１の特徴が第２の特徴の真下または斜め下にあるか、または単に第１の特徴のレベルが第２の特徴よりも小さいことを意味し得る。
【００４３】
本明細書の説明において、「一実施例」、「いくつかの実施例」、「例」、「具体的な例」、または「いくつかの例」などの用語を参照する説明は、実施例または例に関連して説明される具体的な特徴、構造、材料または特徴は、本考案の少なくとも１つの実施例または例に含まれることを意味する。本明細書では、上記の用語の概略説明は、必ずしも同じ実施例または例を指すとは限らない。さらに、記載された具体的な特徴、構造、材料または特性は、任意の１つまたは複数の実施例または例において適切な方法で組み合わせることができる。さらに、当業者は、互いに矛盾することなく、本明細書に記載されている異なる実施例または実施例および異なる実施例または実施例の特徴を組み合わせることができる。
【００４４】
以上、本考案の具体的な実施形態を説明したが、本考案の保護範囲はここに限定されなく、本考案の技術範囲内に、当業者によって容易に相当した変更や置換はすべて、本考案の保護範囲に含まれるべきである。したがって、本考案の保護範囲は実用新案登録請求の範囲に従うべきである。
【符号の説明】
【００４５】
１            フェイシアガン本体
１１          可動チャンバ
１２          メインシェル
２            グリップ
３            マッサージヘッド
３１          マッサージヘッドカバー
３１１        拡張部
３１２        基部
３１３        第１の放熱穴
３２          コネクタヘッド
３３          航空プラグ
３４          衝突防止部品
３５          光透過部品
３５１        上端縁
３５２        延長部
３５２１      貫通口
３５３        突出部
３５３１      ドア状開口
３５４        貫通穴
３６          光透過穴
４            往復駆動機構
４１          航空ソケット
４２          モータ
４３          クランク
４４          接続ロッド
４５          主回路基板
４６          ピストン部品
４７          ガイド溝
４８          コネクタシート
４９          ガイド溝シリコーン部品
４９１        回路基板支持部品
４９２        シールカバー
５            電力供給コンポーネント
６            冷却・加熱コンポーネント
６１          マッサージヘッド回路基板
６１１        発光ランプ
６２          放熱アルミニウム片
６２１        スロット
６３          冷却・加熱片
６４          放熱ファン
６５          第２の放熱穴
７            装飾ストリップ
８            カバー板
８１          シリコーンボタン
８２          ＵＳＢ充電口
【図１】
0003233101.tif 000003
【図２】
0003233101.tif 000004
【図３】
0003233101.tif 000005
【図４】
0003233101.tif 000006
【図５】
0003233101.tif 000007
【図６】
0003233101.tif 000008
【図７】
0003233101.tif 000009
【図８】
0003233101.tif 000010
【図９】
0003233101.tif 000011